(57)【要約】【課題】営業時に球抜き状態であり遊技ができないというトラブルを未然に防止するようにした遊技機の球払出装置を提供する。【解決手段】流路切替弁１６における揺動方向と平行な側面または該揺動方向と平行な側面に向き合う操作部材２３の側面のいずれか一方にガイドピン２２，２２Ａを突設すると共に他方に該ガイドピン２２，２２Ａが遊挿する誘導溝２７，２７Ａを形成し、誘導溝の上端をガイドピンが位置するとき流路切替弁が揺動不能にロックされ供給される遊技球を球払出通路１７に導く上端固定部２７ａとし、誘導溝の下端をガイドピンが位置するとき流路切替弁の揺動が可能になり供給される遊技球を球抜き通路１８に導く下端可動部２７ｂとし、誘導溝の上端固定部と下端可動部との間に、ガイドピンの下端可動部から上端固定部への移動を許すが上端固定部から下端可動部への移動を阻止する規制片２４を突設した。【選択図】図２
2012016509.tif 000002
【特許請求の範囲】
【請求項１】
供給された遊技球を一個ずつ切って排出する球送り部材が配置される球払出通路と、前記球払出通路と分岐して設けられ前記供給される遊技球を遊技機の外部に排出するための球抜き通路と、前記球払出通路と球抜き通路との分岐部に設けられ上部で揺動自在に軸着されると共に揺動して前記供給された遊技球の流下方向を前記球払出通路または球抜き通路のどちらかに切り替える流路切替弁と、前記流路切替弁の一側に配置され手動により上下に摺動して前記流路切替弁を操作する操作部材と、を備えてなる遊技機の球払出装置であって、
前記流路切替弁における揺動方向と平行な側面または該揺動方向と平行な側面に向き合う前記操作部材の側面のいずれか一方にガイドピンを突設すると共に他方に該ガイドピンが遊挿し内周面に沿って循環する誘導溝を形成してなり、
前記誘導溝の上端を前記ガイドピンが位置するとき前記流路切替弁が揺動不能にロックされ前記供給される遊技球を前記球払出通路に導く上端固定部とし、前記誘導溝の下端を前記ガイドピンが位置するとき前記流路切替弁の揺動が可能になり前記供給される遊技球を前記球抜き通路に導く下端可動部とし、
前記誘導溝の前記上端固定部と下端可動部との間に、前記ガイドピンの前記下端可動部から前記上端固定部への移動を許すが前記上端固定部から前記下端可動部への移動を阻止する規制片を突設したことを特徴とする遊技機の球払出装置。
【発明の詳細な説明】
【技術分野】
【０００１】
本発明は、球払出通路と、該球払出通路とは分岐して設けられる球抜き通路と、これら通路を切り替える流路切替弁と、該流路切替弁を操作する操作部材と、を備え、遊技球がない場合に流路切替弁が誤って球抜き状態のままに置かれることを防止できるようにした遊技機の球払出装置に関するものである。
【背景技術】
【０００２】
従来、遊技機の一種であるパチンコ遊技機はその本体枠に遊技盤が配設され、該遊技盤の前面には可変表示装置や入賞装置といった多くの盤面部品が装着されている。また、パチンコ遊技機の後側に、その上部に位置して球タンクが配設されると共にその下流側にタンクレールを介して球払出装置が装着されている。該球払出装置内には、球タンクから供給される遊技球を一個ずつ切って払い出す球送り部材が配設される球払出通路と、該球払出通路とは分岐され遊技球を遊技機の外部に排出するための球抜き通路と、供給される遊技球を球払出通路または球抜き通路間で切り替えていずれかに誘導する流路切替弁と、該流路切替弁を操作する操作部材と、が備えられている（例えば、特許文献１、２参照。）。
【０００３】
そして、例えばパチンコ遊技機をパチンコホールに新台として搬入する場合は、前記流路切替弁により球タンクから供給される遊技球が球払出通路側へ誘導されるように操作部材を設定する。この状態で、パチンコ遊技機を設置島に配設する。営業によりパチンコ遊技機が稼動している間は、前記操作部材を前記流路切替弁により球タンクから供給される遊技球が球払出通路側へ誘導されるようにしておく。営業が終了した後はパチンコ遊技機から一旦遊技球を前部抜く必要があるため、前記操作部材を操作し流路切替弁を前記球タンクから供給される遊技球が球抜き通路に導かれるように切り替えている。
【先行技術文献】
【特許文献】
【０００４】
【特許文献１】特許第４４６１４４８号公報（第５−８頁、図４乃至図８）
【特許文献２】特開２００６−３１４６４８号公報（第７−１２頁、段落００５６乃至段落００６０、図６、図９）
【発明の概要】
【発明が解決しようとする課題】
【０００５】
ところで、前記球払出装置にあっては排出される遊技球を一個ずつ検出するにフォトセンサーが使用されている。このフォトセンサーは球払出装置のケース部が透明な樹脂材であると、外部の光を受け易くこれにより誤動作を起こす危険性があることから、一般に該ケース部を外部の光が通過し得ない不透明な樹脂材により成形するようにしている。このため、球払出装置を外部から見ても、球払出状態になっているか球抜き状態になっているか、すなわち、操作部材が球払出状態の位置にあるのか球抜き状態の位置にあるのかが判別し難かった。ただ、ケース部の表面に球払出状態か球抜き状態かの表示が示されたシールが貼着されている場合は判別し易いが、そのシールが汚れたり破損する等して見難くなると、解りずらい。そこで、仮に、流路切替弁が球抜き状態のまま放置されていると、営業時に球タンクから遊技球が供給されたとき、それら遊技球がそのまま球抜き通路に導かれてパチンコ遊技機の外部に排出されてしまい、遊技不能なトラブルが生ずるという課題が有った。
【０００６】
本発明は上記課題を解決すべくなされたもので、たとえケース部が不透明な樹脂材により成形され、特に遊技球がないときであって球払出状態になっているか球抜き状態になっているかの判別がし難くいとしても、球払出状態に確実に保持できるようにして、営業時に球抜き状態のままとなり遊技ができないというトラブルを未然に防止するようにした遊技機の球払出装置を提供することを目的とするものである。
【課題を解決するための手段】
【０００７】
かかる目的を達成するため本発明に係る遊技機の球払出装置は、供給された遊技球を一個ずつ切って排出する球送り部材が配置される球払出通路と、前記球払出通路と分岐して設けられ前記供給される遊技球を遊技機の外部に排出するための球抜き通路と、前記球払出通路と球抜き通路との分岐部に設けられ上部で揺動自在に軸着されると共に揺動して前記供給された遊技球の流下方向を前記球払出通路または球抜き通路のどちらかに切り替える流路切替弁と、前記流路切替弁の一側に配置され手動により上下に摺動して前記流路切替弁を操作する操作部材と、を備えてなる遊技機の球払出装置であって、前記流路切替弁における揺動方向と平行な側面または該揺動方向と平行な側面に向き合う前記操作部材の側面のいずれか一方にガイドピンを突設すると共に他方に該ガイドピンが遊挿し内周面に沿って循環する誘導溝を形成してなり、前記誘導溝の上端を前記ガイドピンが位置するとき前記流路切替弁が揺動不能にロックされ前記供給される遊技球を前記球払出通路に導く上端固定部とし、前記誘導溝の下端を前記ガイドピンが位置するとき前記流路切替弁の揺動が可能になり前記供給される遊技球を前記球抜き通路に導く下端可動部とし、前記誘導溝の前記上端固定部と下端可動部との間に、前記ガイドピンの前記下端可動部から前記上端固定部への移動を許すが前記上端固定部から前記下端可動部への移動を阻止する規制片を突設したことを特徴とする。
【発明の効果】
【０００８】
本発明に係る遊技機の球払出装置は、前記流路切替弁における揺動方向と平行な側面または該揺動方向と平行な側面に向き合う前記操作部材の側面のいずれか一方にガイドピンを突設すると共に他方に該ガイドピンが遊挿し内周面に沿って循環する誘導溝を形成し、誘導溝の上端をガイドピンが位置するとき流路切替弁が揺動不能にロックされ供給される遊技球を球払出通路に導く上端固定部とし、誘導溝の下端をガイドピンが位置するとき流路切替弁の揺動が可能になり供給される遊技球を球抜き通路に導く下端可動部とし、誘導溝の上端固定部と下端可動部との間に、ガイドピンの下端可動部から上端固定部への移動を許すが上端固定部から下端可動部への移動を阻止する規制片を突設するようにしている。そこで、例えば球払出装置内に遊技球がない場合、操作部材を上下に摺動させる。仮にガイドピンが上端固定部に位置しているときは、該ガイドピンは規制片により動きが阻止されその位置から移動することがなく、操作部材がロック状態にある。すなわち流路切替弁が、供給される遊技球を球払出通路へ誘導する状態でロックされている。これに対し、ガイドピンが下端可動部に位置しているときは、該ガイドピンを他方である上端固定部に移動させることにより、その上端固定部で前記と同様に流路切替弁がロックされる。このように、操作部材を上下に摺動して該操作部材がロックされる位置で保持するようにすれば、必ず流路切替弁は供給される遊技球を球払出通路へ誘導する状態でロックされる。よって、たとえ球払出装置のケース部が光を通過し得ない不透明な樹脂材で成形され内部が球払出状態か球抜き状態か判別し難くても、操作部材を上下動させてロックされる状態で保持すれば良く、これにより営業時に球抜き状態が生ずるトラブルを未然に防止できるという効果が有る。
【図面の簡単な説明】
【０００９】
【図１】本発明が適用されるパチンコ遊技機の背面図。
【図２】球払出装置の分解斜視図。
【図３】操作部材部位の斜視図。
【図４】（イ）は球払出装置の縦断面図、（ロ）は操作部材とガイドピンとの関係を示す説明図、（ハ）は同じく操作部材を断面にして示す説明図。
【図５】（イ）は球払出装置の縦断面図、（ロ）は操作部材とガイドピンとの関係を示す説明図、（ハ）は同じく操作部材を断面にして示す説明図。
【図６】（イ）は球払出装置の縦断面図、（ロ）は操作部材とガイドピンとの関係を示す説明図、（ハ）は同じく操作部材を断面にして示す説明図。
【図７】（イ）は球払出装置の縦断面図、（ロ）は操作部材とガイドピンとの関係を示す説明図、（ハ）は同じく操作部材を断面にして示す説明図。
【図８】（イ）は図４（イ）のＸ−Ｘ線断面図、（ロ）は図４（イ）のＹ−Ｙ線断面図。
【図９】他の実施の形態に係る球払出装置の分解斜視図。
【図１０】（イ）は操作部材とガイドピンとの関係を示す説明図、（ロ）は同じく操作部材を断面にして示す説明図。
【発明を実施するための形態】
【００１０】
以下、本発明に係るパチンコ遊技機の球払出装置の最良の実施の形態を図面に基づき詳しく説明する。なお、本発明はパチンコ遊技機、アレンジボール機または雀球遊技機等の遊技機に適用されるが、そのうちの一例としてパチンコ遊技機について説明する。図１は本発明が適用されるパチンコ遊技機の背面図、図２は球払出装置の分解斜視図、図３は操作部材部位の斜視図である。先ず、本発明が適用されるパチンコ遊技機について説明する。
【００１１】
パチンコ遊技機Ｐは、縦長長方形状の外枠１の前面に内枠２が開閉自在に装着され、該内枠２に遊技盤３が配設されると共に内枠２の後面側に機構板４が開閉自在に軸着されている。遊技盤３の後面には、合成樹脂製の入賞球集合カバー５が装着される。また、図示は省略するが、例えば内枠２の前面に、遊技盤３の上部前面を覆う透明板保持枠と、遊技盤３の下部前面を覆いかつ打球発射部へ供給される遊技球としてのパチンコ球を貯留する球受皿を設けた前板と、が装着されている。
【００１２】
機構板４の後面上部であってパチンコ遊技機Ｐを後面側から見た左側寄りに、球タンク６が配置される。この球タンク６に、パチンコ遊技機Ｐの上方に配設される遊技球補給経路（図示せず。）からパチンコ球が補給されることになる。また、球タンク６の一側に球供給樋としてのタンクレール７が接続され、該タンクレール７の下流端に屈曲レール８を介して本発明に係る球払出装置９が配置される。更にまた、該球払出装置９の下方には、該球払出装置９から払い出された賞球としてのパチンコ球または遊技者が遊技をするために借りる貸球としてのパチンコ球を排出するための球排出樋１０と、球タンク６を初めパチンコ遊技機Ｐ内のパチンコ球をパチンコ遊技機Ｐの外部に排出するための球抜き樋１１と、が形成される。球排出樋１０はパチンコ遊技機Ｐ前側の球受皿に連なっており、球払出装置９から排出される賞球または貸し球としてのパチンコ球を球受皿に排出させる。一方、球タンクや球払出装置９内のパチンコ球を球抜きする場合は、球抜き樋１１から排出する。
【００１３】
次に、球払出装置９について説明する。該球払出装置９は、図２に示すように主ケース部１２の一側に従ケース部１３がネジ止めにより一体に組み付けられ、図４（イ）に示すように主ケース部１２内であってその上部に球供給通路１４が設けられ、その上端開口１４ａが前記屈曲レール８と連通している。該球供給通路１４の下端は、一側に屈曲してその部位が分岐部１５になっている。該分岐部１５には、上端で軸着され自在に揺動する流路切替弁１６が配置される。そして、その下方の主ケース部１２側に分岐部１５と連通する球払出通路１７が配設され、同じくその下方の従ケース部１３側に分岐部１５と連通する球抜き通路１８が配設される。
【００１４】
前記球払出通路１７の上端一側に流入口１７ａが開設され、図８（イ）に示すように下端に流出口１７ｂが開設される。そして球払出通路１７の一側に、外周縁の一部が該球払出通路１７内に介入し該球払出通路１７を流下する所定個数のパチンコ球を一個ずつ切って排出する球送り部材１９が配置される。該球送り部材１９は円板状に形成され、その外周縁にパチンコ球を一個ずつ受入れる球受凹部１９ａが所定個数等間隔に凹設される。該球送り部材１８は鉛直な球払出通路１７に直交する支軸１９ｂにより軸着され、その支軸１９ｂの一端が電気的駆動源であるステッピングモータ２０に接続されている。また、球払出通路１７には、球送り部材１９の上下位置に配置されるようにしてフォトセンサー２１，２１が設けられる。該各フォトセンサー２１は、球払出通路１７を隔てた一方に投光器２１ａが設けられると共に、他方に該投光器２１ａから照射された光を受ける受光器２１ｂが設けられ、その間を通過するパチンコ球を電気的に検出するようになっている。
【００１５】
前記従ケース部側１３における球抜き通路１８の上端開口１８ａは、流路切替弁１６の下方に位置する。また、前記ステッピングモータ２０が従ケース部１３側に配置されていることから、図８（ロ）に示すように球抜き通路１８は、該ステッピングモータ２０を越すようにしてその前側へ屈曲させてある。そして、その下方には下端開口１８ｂが開設される。球抜き通路１８は、前記下端開口１８ｂを介して前記球抜き樋１１と連通している。
【００１６】
前記流路切替弁１６は、球供給通路１４の一側であって、しかも、球払出通路１７及び球抜き通路１８を含んだ面内で上端の軸着部１９ａを中心として揺動するようになっている。そして該流路切替弁１６は、図４（イ）に示すように球供給通路１４の下端及び球払出通路１７の上端の形状に合わせて球抜き通路１８側へ略半円弧状に膨らんで湾曲した球案内部１６ｂを有する。図２に示すようにその一側すなわち前側に略扇形状の支持板１６ｃが張り出され、その外側面にガイドピン２２が突設される。すなわち、流路切替弁１６における揺動方向と平行な側面に、該平行な側面に対して直交しかつ外側を向くガイドピン２２が突設されることになる。該ガイドピン２２は図４（ロ）に示すように後記する操作部材２３に形成された誘導溝２７に遊挿されるもので、その先端部が図４（ハ）に示すようにその中心軸線に対して傾斜する傾斜面２２ａに形成される。この傾斜面２２ａは、鉛直上方へ進むに従い鉛直面に対する間隔が漸次大きくなるように傾斜している。これは、ガイドピン２２が操作部材２３に設けられた規制片２４を上方から下方へは越えられないが下方から上方へは越えて移動できるようにするためである。
【００１７】
図２、図３に示すように前記従ケース部１３の前側面には、流路切替弁１６の一側すなわちその前側に近接させて、該流路切替弁１６を手動により操作する操作部材２３が設けられる。該操作部材２３は、ほぼ正方形板状に形成されると共に従ケース部１３の後側面に流路切替弁１６に対応位置して設けられた透口２５に沿わせて配置され、その両側縁を該透口２５の両側に設けられたレール溝２６，２６内に嵌入している。これにより、操作部材２３が上下に摺動することになる。また、操作部材２３の前面は前記透口２５から前記分岐部１５内に臨むようになっており、その前面に前記流路切替弁１６の一側に突設したガイドピン２２が遊挿されその内周面に沿って循環する誘導溝２７が凹設されている。該誘導溝２７は、操作部材２３を前側から見た場合、図４（ロ）に示すように略四辺形状に形成される。
【００１８】
そして、前記誘導溝２７の上端角部である上端固定部２７ａは、前記ガイドピン２２が丁度隙間なく嵌り込む半円形状に形成される。図４（ロ）に示すように該上端固定部２７ａにガイドピン２２が嵌ったとき、図４（イ）に示すように流路切替弁１６が球供給通路１４を流下するパチンコ球を球払出通路１８に導くように配置される。また、該上端固定部２７ａに嵌った状態のガイドピン２２は、操作部材２３の上下の摺動方向に対して直交する水平方向には移動し得ないようになっている。よって、この状態で、球供給通路１４を流下するパチンコ球は、すべて流路切替弁１６により球払出通路１７に誘導される。
【００１９】
一方、前記誘導溝２７における上端固定部２７ａと同じ側の下端角部に下端可動部２７ｂが形成されることになる。更に詳しく説明すると、上端固定部２７ａと下端可動部２７ｂとは共に鉛直線上に位置し上下方向で一致する。そして、下端可動部２７ｂは、球払出通路１７に近い壁に沿って形成される。これにより、該下端可動部２７ｂに位置するガイドピン２２は、球払出通路１７側へ向かっての移動はできないが、その反対側へは移動できるようになっている。すなわち流路切替弁１６は、上端の軸着部１６ａを中心として球払出通路１７及び球抜き通路１８を含む面に沿って揺動することになる。よって、前記ガイドピン２２が図５（ロ）（ハ）に示すように球払出通路１７側から球抜き通路１８側へ移動したとき、流路切替弁１６が図５（イ）に示すように上端の軸着部１６ａを中心として球払出通路１７とは反対側へ揺動し、球供給通路１４を流下するパチンコ球を球抜き通路１８に誘導することになる。このように流路切替弁１６が球払出通路１７とは反対側へ揺動するのはパチンコ球の球圧により、逆に球抜き通路１８側から球払出通路１７側へ揺動するのはその自重による。
【００２０】
図４（ロ）（ハ）に示すように前記上端固定部２７ａと下端可動部２７ｂとの間には、それらを結んだ線に対して直交するように遮り所定の高さを有する規制片２４が設けられる。該規制片２４の高さは、ガイドピン２２が下端可動部２７ｂから該規制片２４を乗り越えて上端固定部２７ａへ直線的に移動することは可能であるが、上端固定部２７ａから規制片２４を乗り越えて下端可動部２７ｂへ直線的に移動することはできないようにその高さが選ばれる。ガイドピン２２が規制片２４を乗り越えられるのは、その先端が傾斜面２２ａに形成されているからである。操作部材２３の前面には、手で操作するための摘み２３ａが突設される。
【００２１】
本発明に係るパチンコ遊技機の球払出装置は上記構成からなり、次に作用を説明する。図４（イ）（ロ）（ハ）に示すようにガイドピン２２が誘導溝２７の上端固定部２７ａに位置しているとき、操作部材２３は下端位置に有り、流路切替弁１６は揺動が規制され球供給通路１４を流下するパチンコ球を球払出通路１７へ導くようにしている。よって、球タンク６から供給されたパチンコ球は、球供給通路１４を流下すると共に流路切替弁１６の球案内部１６ｂに案内されて球払出通路１７に流下し、その最先のパチンコ球が球送り部材１９の外周面に乗る。そこで、例えば入賞球が発生し、これに対する所定量の賞球を払い出すように信号が出力されると、ステッピングモータ２０に通電させ球送り部材１９を所定回数回転させる。これにより、球送り部材１９の各球受凹部１９ａのパチンコ球が下方へ排出される。この際、パチンコ球は、球送り部材１９の上下に配置されるフォトセンサー２１により検出され球排出樋１０に排出される。この球排出樋１０に排出されたパチンコ球は、パチンコ遊技機Ｐの前面の球受皿に貯留されることになる。貸し球の払い出しも、同様な手順により球受皿へ払い出される。
【００２２】
次に、このように球供給通路１４、球払出通路１７にパチンコ球が貯留されている状態で球抜きする場合は、その状態で摘み２３ａに手を掛け操作部材２３を上方へ摺動させる。このとき、流路切替弁１６はパチンコ球の球圧が働き球払出通路１７とは反対側へ揺動するように付勢されていることから、図５（ロ）（ハ）に示すように操作部材２３の上動と共にガイドピン２２が誘導溝２７の内周面に沿って循環するように移動する。すなわち、ガイドピン２２が上端固定部２７ａから抜け出て下方へ移動すると共に、図５（イ）に示すように流路切替弁１６がパチンコ球の球圧により球払出通路１７とは反対側へ揺動して球供給通路１４内を流下するパチンコ球を球抜き通路１８へ誘導する。球抜きされたパチンコ球は、球抜き樋１１に排出されパチンコ遊技機Ｐの外側へ排出される。パチンコ球が球抜き通路１８に排出されている間は、流路切替弁１６のガイドピン２２が図５（ロ）に示すように誘導溝２７の下方に位置している。
【００２３】
パチンコ球が排出された後は、流路切替弁１６が自由になってその自重で元の位置に戻り、図６（ロ）（ハ）に示すようにガイドピン２２が誘導溝２７の下端可動部２７ｂに位置する。この状態では、流路切替弁１６が球払出通路１７とは反対側へ揺動可能な状態にありかつ操作部材２３は下方へ摺動可能な状態にある。
【００２４】
そして、この状態で操作部材２３を下方へ摺動させると、ガイドピン２２先端の傾斜面２２ａが規制片２４の上面を乗り越えて該ガイドピン２２が上方へ直線的に移動し上端固定部２７ａに到達する。ところが、この状態から操作部材２３を上方へ摺動しようとしても、図７（ロ）（ハ）に示すようにガイドピン２２が規制片２４の上端縁に当接して停止し、それ以上の上方への摺動動作が阻止される。すなわち、操作部材２３がその位置にあるとき、上下いずれにも摺動し得ないロック状態となる。ここで、摘み２３ａから指を離し操作部材２３を自由にすると、該操作部材２３はその自重で下方へ少し下がり、図４（ロ）（ハ）の状態に戻り、ガイドピン２２が誘導溝２７の上端固定部２７ａに嵌って操作部材２３が停止する。
【００２５】
図７（イ）の状態では、流路切替弁１６が球圧によって揺動することはなく、流路切替弁１６により球供給通路１４を流下するパチンコ球を球払出通路１７に誘導する。そこで、例えばパチンコホールの営業後であって、球抜きした後に指先で摘み２３ａを摘んで操作部材２３を１〜２回上下に摺動させれば、必ずガイドピン２２は規制片２４によりその動きが阻止され上端固定部２７ａに嵌り、流路切替弁１６がロックされることになる。よって、球払出装置９の主・従ケース部１２，１３が光を通さない不透明な素材により成形され内部が球払出状態か球抜き状態か判別し難くても、操作部材２３を１〜２回上下動させ流路切替弁１６をロック状態にしておけば、球払出装置９にパチンコ球がない状態、すなわち、パチンコホールの営業前の状態、から営業が始まり各パチンコ遊技機Ｐにパチンコ球が供給され、しかも、球タンク６を介して球払出装置９にパチンコ球が供給されても、それらパチンコ球は流路切替弁１６により球払出通路１７へ誘導されることになる。よって、流路切替弁１６が必要もなく揺動して、供給されたパチンコ球が誤って球抜き通路１８に誘導されパチンコ遊技機Ｐの外部に排出されことはない。
【００２６】
このように、本発明は、操作部材２３に誘導溝２７を形成すると共に該誘導溝２７に規制片２４を設けており、操作部材２３を上下に摺動させて該操作部材２３がロックされる位置で保持するようにすれば、必ず流路切替弁１６は供給される遊技球を球払出通路１７へ誘導する状態でロックされることになる。よって、たとえ球払出装置１０のケース部１２，１３が光を通過し得ない不透明な樹脂材で成形され内部が判別し難くても、操作部材２３を上下動させてロックされる状態で保持すれば良く、これにより営業時に球抜き状態が生ずるトラブルを未然に防止できる。
【００２７】
図９、図１０（イ）（ロ）は他の実施の形態に係るものである。なお、他の実施の形態は本実施の形態とほとんど同じ構成からなるので、同一部位は同一番号を附すことにより詳しい説明は省略する。他の実施の形態にあっては、流路切替弁１６における揺動方向と平行な側面に誘導溝２７Ａが形成され、該揺動方向と平行な側面に向き合う操作部材２３の側面に該誘導溝２７Ａに遊挿しその内周面に沿って循環するガイドピン２２Ａが突設される。
【００２８】
この際、誘導溝２７Ａは本実施の形態における誘導溝２７と線対称になるようにして流路切替弁１６に形成されている。すなわち、該誘導溝２７Ａの上・下端固定部２７ａ，２７ｂが流路切替弁１６における湾曲した球案内部１６ｂ側に寄せて設けられる。そして、図１０（イ）（ロ）に示すようにガイドピン２２Ａが誘導溝２７Ａの上端固定部２７ａに位置しているとき、操作部材２３は上端位置に有り、流路切替弁１６は揺動が規制され図４（イ）と同様に球供給通路１４を流下するパチンコ球を球払出通路１７へ導くようにしている。これらパチンコ球の流れは本実施の形態と同様である。
【００２９】
次に、球供給通路１４、球払出通路１７にパチンコ球が貯留されている状態で球抜きする場合は、その状態で摘み２３ａに手を掛け操作部材２３を下方へ摺動させる。これにより、図５（イ）と同様に操作部材２３の下動と共にガイドピン２２Ａが誘導溝２７Ａの内周面に沿って循環するように移動する。パチンコ球が排出された後は、流路切替弁１６が自由になってその自重で元の位置に戻り、ガイドピン２２Ａが誘導溝２７Ａの下端可動部２７ｂに位置する。この状態では、図６（イ）と同様に流路切替弁１６が球払出通路１７側へ揺動しかつ操作部材２３は下端位置にある。
【００３０】
そして、この状態で操作部材２３を上方へ摺動させると、ガイドピン２２Ａ先端の傾斜面２２ａが規制片２４の上面を乗り越えて該ガイドピン２２Ａが上方へ直線的に移動し上端固定部２７ａに到達する。ところが、この状態から操作部材２３を下方へ摺動しようとしても、図７（ロ）（ハ）と同様にガイドピン２２Ａが規制片２４の上端縁に当接して停止し、それ以上の下方への摺動動作が阻止される。すなわち、操作部材２３がその位置にあるとき図１０（イ）（ロ）の状態に戻り、上下いずれにも摺動し得ないロック状態となる。よって、他の実施の形態にあっても、例えばパチンコホールの営業後であって、球抜きした後に指先で摘み２３ａを摘んで操作部材２３を１〜２回上下に摺動させれば、必ず規制片２４によりその動きが阻止され上端固定部２７ａに嵌り流路切替弁１６がロックされることになる。よって、本実施の形態と同じ効果が得られる。
【符号の説明】
【００３１】
９              球払出装置
１６            流路切替弁
１６ａ          軸着部
１７            球払出通路
１８            球抜き通路
１９            球送り部材
２２            ガイドピン
２２Ａ          ガイドピン
２３            操作部材
２４            規制片
２７            誘導溝
２７Ａ          誘導溝
２７ａ          上端固定部
２７ｂ          下端可動部
Ｐ              遊技機（パチンコ遊技機）
【図１】
2012016509.tif 000003
【図２】
2012016509.tif 000004
【図３】
2012016509.tif 000005
【図４】
2012016509.tif 000006
【図５】
2012016509.tif 000007
【図６】
2012016509.tif 000008
【図７】
2012016509.tif 000009
【図８】
2012016509.tif 000010
【図９】
2012016509.tif 000011
【図１０】
2012016509.tif 000012